(57)【要約】  本発明の実施例はフィードバック応答情報の長さ確定方法及び関連製品を開示し、前記方法は、端末はネットワーク側装置が送信した構成シグナリングを受信し、前記構成シグナリングが、指示されるフィードバック応答情報の最大の伝送時間遅延を含むステップと、端末がハイブリッド自動再送要求フィードバックのタイミングを動的に確定し、端末が前記最大の伝送時間遅延に基づいて前記伝送待ちのフィードバック応答メッセージの総ビット数を確定するステップと、端末が前記ネットワーク側装置に前記総ビット数の前記伝送待ちのフィードバック応答メッセージを送信するステップと、を含む。本発明が提供した技術案は、新しいエアインタフェースシステムにおいてフィードバック応答情報が１つの伝送時間ユニットにおける多重伝送をサポートするという利点を有する。
2020529753.tif 000002
【特許請求の範囲】
【請求項１】
フィードバック応答情報の長さ確定方法であって、
端末が、ネットワーク側装置が送信した構成シグナリングを受信し、前記構成シグナリングが、指示されるフィードバック応答情報の最大の伝送時間遅延を含むステップと、
前記端末が、ハイブリッド自動再送要求フィードバックのタイミングを動的に確定するステップと、
前記端末が、前記最大の伝送時間遅延に基づいて、伝送待ちのフィードバック応答メッセージの総ビット数を確定するステップと、
前記端末が、前記ネットワーク側装置に前記総ビット数の前記伝送待ちのフィードバック応答メッセージを送信するステップと、を含むことを特徴とする前記フィードバック応答情報の長さ確定方法。
【請求項２】
前記端末が前記最大の伝送時間遅延に基づいて、伝送待ちのフィードバック応答メッセージの総ビット数を確定することは、
前記端末が、前記最大の伝送時間遅延、及び最小の伝送時間遅延に基づき、前記伝送待ちのフィードバック応答メッセージの総ビット数を確定することを含むことを特徴とする請求項１に記載の方法。
【請求項３】
前記端末が前記最大の伝送時間遅延に基づいて、伝送待ちのフィードバック応答メッセージの総ビット数を確定することは、
前記端末が、前記最大の伝送時間遅延と最小の伝送時間遅延との間の差に基づき、前記伝送待ちのフィードバック応答メッセージの総ビット数を確定することを含むことを特徴とする請求項１又は２に記載の方法。
【請求項４】
前記端末が前記最大の伝送時間遅延に基づいて前記伝送待ちのフィードバック応答メッセージの総ビット数を確定することは、
前記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数であることを含むことを特徴とする請求項１〜３のいずれか１項に記載の方法。
【請求項５】
前記端末が前記最大の伝送時間遅延に基づいて、伝送待ちのフィードバック応答メッセージの総ビット数を確定することは、
前記端末が、前記最大の伝送時間遅延、最小の伝送時間遅延及びＭｎｏｎ−ＤＬに基づき、前記伝送待ちのフィードバック応答メッセージの総ビット数を確定し、Ｍｎｏｎ−ＤＬが前記最大の伝送時間遅延より小さい値であることを含むことを特徴とする請求項１に記載の方法。
【請求項６】
前記端末が前記最大の伝送時間遅延に基づいて、伝送待ちのフィードバック応答メッセージの総ビット数を確定することは、
前記端末が、前記最大の伝送時間遅延から最小の伝送時間遅延とＭｎｏｎ−ＤＬを引いて得られた値に基づき、前記伝送待ちのフィードバック応答メッセージの総ビット数を確定し、Ｍｎｏｎ−ＤＬが前記最大の伝送時間遅延より小さい値であることを含むことを特徴とする請求項５に記載の方法。
【請求項７】
前記端末が前記最大の伝送時間遅延に基づいて前記伝送待ちのフィードバック応答メッセージの総ビット数を確定することは、
前記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であることを含むことを特徴とする請求項１、５又は６に記載の方法。
【請求項８】
前記Ｔｍｉｎが、前記端末がフィードバック応答情報を伝送する最小の伝送時間遅延であり、
又は前記Ｔｍｉｎが、前記ネットワーク側装置により構成されるパラメータであることを特徴とする請求項４又は７に記載の方法。
【請求項９】
前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータであることを特徴とする請求項４又は７に記載の方法。
【請求項１０】
前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットであることを特徴とする請求項５〜７のいずれか１項に記載の方法。
【請求項１１】
前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含むことを特徴とする請求項１０に記載の方法。
【請求項１２】
前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数であることを特徴とする請求項９に記載の方法。
【請求項１３】
前記端末が前記基地局に前記総ビット数の前記伝送待ちのフィードバック応答メッセージを送信することは、
前記端末が、前記フィードバック応答情報をジョイント符号化してから送信すること、
又は前記端末が、前記フィードバック応答情報を１つの物理チャネルにより送信すること、を含むことを特徴とする請求項１〜１２のいずれか１項に記載の方法。
【請求項１４】
端末であって、
処理ユニットと前記処理ユニットに接続される送受信ユニットとを含み、
前記送受信ユニットは、ネットワーク側装置が送信した構成シグナリングを受信するように構成され、前記構成シグナリングが、指示されるフィードバック応答情報の最大の伝送時間遅延を含み、
前記処理ユニットは、ハイブリッド自動再送要求フィードバックのタイミングを動的に確定し、前記最大の伝送時間遅延に基づいて、伝送待ちのフィードバック応答メッセージの総ビット数を確定するように構成され、
前記送受信ユニットは、前記ネットワーク側装置に前記総ビット数の前記伝送待ちのフィードバック応答メッセージを送信するように構成されることを特徴とする前記端末。
【請求項１５】
前記処理ユニットは、
具体的に前記最大の伝送時間遅延、及び最小の伝送時間遅延に基づき、前記伝送待ちのフィードバック応答メッセージの総ビット数を確定するように構成されることを特徴とする請求項１４に記載の端末。
【請求項１６】
前記処理ユニットは、
具体的に前記最大の伝送時間遅延と最小の伝送時間遅延との間の差に基づき、前記伝送待ちのフィードバック応答メッセージの総ビット数を確定するように構成されることを特徴とする請求項１４又は１５に記載の端末。
【請求項１７】
前記処理ユニットは、具体的に前記最大の伝送時間遅延に基づき、前記伝送待ちのフィードバック応答メッセージの総ビット数を確定し、前記総ビット数Ｎ＝Ｃ×（Ｔｍａｘ−Ｔｍｉｎ）であり、
Ｔｍａｘが最大の伝送時間遅延であり、ＴｍｉｎがＴｍａｘより小さい非負整数であり、Ｃが正整数であるように構成されることを特徴とする請求項１４〜１６のいずれか１項に記載の端末。
【請求項１８】
前記処理ユニットは、
具体的に前記最大の伝送時間遅延、最小の伝送時間遅延及びＭｎｏｎ−ＤＬに基づき、前記伝送待ちのフィードバック応答メッセージの総ビット数を確定し、Ｍｎｏｎ−ＤＬが前記最大の伝送時間遅延より小さい値であるように構成されることを特徴とする請求項１４に記載の端末。
【請求項１９】
前記処理ユニットは、
具体的に前記最大の伝送時間遅延から最小の伝送時間遅延とＭｎｏｎ−ＤＬを引いて得られた値に基づき、前記伝送待ちのフィードバック応答メッセージの総ビット数を確定し、Ｍｎｏｎ−ＤＬが前記最大の伝送時間遅延より小さい値であるように構成されることを特徴とする請求項１４又は１８に記載の端末。
【請求項２０】
前記処理ユニットは、具体的に前記最大の伝送時間遅延に基づき、前記伝送待ちのフィードバック応答メッセージの総ビット数を確定し、総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であるように構成されることを特徴とする請求項１４、１８又は１９に記載の端末。
【請求項２１】
前記Ｔｍｉｎが、前記端末がフィードバック応答情報を伝送する最小の伝送時間遅延であり、
又は前記Ｔｍｉｎが、前記ネットワーク側装置により構成されるパラメータであることを特徴とする請求項１７又は２０に記載に端末。
【請求項２２】
前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータであることを特徴とする請求項１７又は２０に記載の端末。
【請求項２３】
前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットであることを特徴とする請求項１８〜２０のいずれか１項に記載の端末。
【請求項２４】
前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含むことを特徴とする請求項２３に記載の端末。
【請求項２５】
前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数であることを特徴とする請求項２２に記載の端末。
【請求項２６】
前記送受信ユニットが、具体的に前記フィードバック応答情報をジョイント符号化してから送信するように構成され、
又は前記送受信ユニットが、具体的に前記フィードバック応答情報を１つの物理チャネルにより送信するように構成されることを特徴とする請求項１４〜２５のいずれか１項に記載の端末。
【請求項２７】
フィードバック応答情報の長さ確定方法であって、
ネットワーク側装置が、端末に構成シグナリングを送信し、前記構成シグナリングが、指示されるフィードバック応答情報の最大の伝送時間遅延を含むステップと、
前記ネットワーク側装置が、前記端末がハイブリッド自動再送要求フィードバックのタイミングを動的に確定することを確定するステップと、
前記ネットワーク側装置が、前記最大の伝送時間遅延に基づいて、伝送待ちのフィードバック応答メッセージの総ビット数を確定するステップと、
前記ネットワーク側装置が、前記端末が送信した前記総ビット数の前記伝送待ちのフィードバック応答メッセージを受信するステップと、を含むことを特徴とする前記フィードバック応答情報の長さ確定方法。
【請求項２８】
前記ネットワーク側装置が前記最大の伝送時間遅延に基づいて、伝送待ちのフィードバック応答メッセージの総ビット数を確定することは、
前記ネットワーク側装置が、前記最大の伝送時間遅延、及び最小の伝送時間遅延に基づき、前記伝送待ちのフィードバック応答メッセージの総ビット数を確定することを含むことを特徴とする請求項２７に記載の方法。
【請求項２９】
前記ネットワーク側装置が前記最大の伝送時間遅延に基づいて、伝送待ちのフィードバック応答メッセージの総ビット数を確定することは、
前記ネットワーク側装置が、前記最大の伝送時間遅延と最小の伝送時間遅延との間の差に基づき、前記伝送待ちのフィードバック応答メッセージの総ビット数を確定することを含むことを特徴とする請求項２７又は２８に記載の方法。
【請求項３０】
前記ネットワーク側装置が前記最大の伝送時間遅延に基づき、前記伝送待ちのフィードバック応答メッセージの総ビット数を確定することは、
前記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数であることを含むことを特徴とする請求項２７〜２９のいずれか１項に記載の方法。
【請求項３１】
前記ネットワーク側装置が前記最大の伝送時間遅延に基づいて、伝送待ちのフィードバック応答メッセージの総ビット数を確定することは、
前記ネットワーク側装置が、前記最大の伝送時間遅延、最小の伝送時間遅延及びＭｎｏｎ−ＤＬに基づき、前記伝送待ちのフィードバック応答メッセージの総ビット数を確定し、Ｍｎｏｎ−ＤＬが前記最大の伝送時間遅延より小さい値であることを含むことを特徴とする請求項２７に記載の方法。
【請求項３２】
前記ネットワーク側装置が前記最大の伝送時間遅延に基づいて、伝送待ちのフィードバック応答メッセージの総ビット数を確定することは、
前記ネットワーク側装置が、前記最大の伝送時間遅延から最小の伝送時間遅延とＭｎｏｎ−ＤＬを引いて得られた値に基づき、前記伝送待ちのフィードバック応答メッセージの総ビット数を確定し、Ｍｎｏｎ−ＤＬが前記最大の伝送時間遅延より小さい値であることを含むことを特徴とする請求項３１に記載の方法。
【請求項３３】
前記ネットワーク側装置が前記最大の伝送時間遅延に基づき、前記伝送待ちのフィードバック応答メッセージの総ビット数を確定することは、
前記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であることを含むことを特徴とする請求項２７、３１又は３２に記載の方法。
【請求項３４】
前記Ｔｍｉｎが、前記端末がフィードバック応答情報を伝送する最小の伝送時間遅延であり、
又は前記Ｔｍｉｎが、前記ネットワーク側装置により構成されるパラメータであることを特徴とする請求項３０又は３３に記載の方法。
【請求項３５】
前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータであることを特徴とする請求項３０又は３３に記載の方法。
【請求項３６】
前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットであることを特徴とする請求項３１〜３３のいずれか１項に記載の方法。
【請求項３７】
前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含むことを特徴とする請求項３６に記載の方法。
【請求項３８】
前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数であることを特徴とする請求項３５に記載の方法。
【請求項３９】
前記ネットワーク側装置が前記端末が送信した前記総ビット数の前記伝送待ちのフィードバック応答メッセージを受信することは、
前記ネットワーク側装置が、前記端末が送信したジョイント符号化後の前記フィードバック応答情報を受信すること、
又は前記ネットワーク側装置が、前記端末が１つの物理チャネルにより送信した前記フィードバック応答情報を受信すること、を含むことを特徴とする請求項２７〜３８のいずれか１項に記載の方法。
【請求項４０】
ネットワーク側装置であって、
処理ユニットと前記処理ユニットに接続される送受信ユニットとを含み、
前記送受信ユニットは、端末に構成シグナリングを送信するように構成され、前記構成シグナリングが、指示されるフィードバック応答情報の最大の伝送時間遅延を含み、
前記処理ユニットが、前記端末がハイブリッド自動再送要求フィードバックのタイミングを動的に確定することを確定し、前記最大の伝送時間遅延に基づいて、伝送待ちのフィードバック応答メッセージの総ビット数を確定するように構成され、
前記送受信ユニットは、前記端末が送信した前記総ビット数の前記伝送待ちのフィードバック応答メッセージを受信するように構成されることを特徴とする前記ネットワーク側装置。
【請求項４１】
前記処理ユニットは、
具体的に前記最大の伝送時間遅延、及び最小の伝送時間遅延に基づき、前記伝送待ちのフィードバック応答メッセージの総ビット数を確定するように構成されることを特徴とする請求項４０に記載のネットワーク側装置。
【請求項４２】
前記処理ユニットは、
具体的に前記最大の伝送時間遅延と最小の伝送時間遅延との間の差に基づき、前記伝送待ちのフィードバック応答メッセージの総ビット数を確定するように構成されることを特徴とする請求項４０又は４１に記載のネットワーク側装置。
【請求項４３】
前記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数であることを特徴とする請求項４０〜４２のいずれか１項に記載のネットワーク側装置。
【請求項４４】
前記処理ユニットは、
具体的に前記最大の伝送時間遅延、最小の伝送時間遅延及びＭｎｏｎ−ＤＬに基づき、前記伝送待ちのフィードバック応答メッセージの総ビット数を確定し、Ｍｎｏｎ−ＤＬが前記最大の伝送時間遅延より小さい値であるように構成されることを特徴とする請求項４０に記載のネットワーク側装置。
【請求項４５】
前記処理ユニットは、
具体的に前記最大の伝送時間遅延から最小の伝送時間遅延とＭｎｏｎ−ＤＬを引いて得られた値に基づき、前記伝送待ちのフィードバック応答メッセージの総ビット数を確定し、Ｍｎｏｎ−ＤＬが前記最大の伝送時間遅延より小さい値であるように構成されることを特徴とする請求項４４に記載のネットワーク側装置。
【請求項４６】
前記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であることを特徴とする請求項４０、４４又は４５に記載のネットワーク側装置。
【請求項４７】
前記Ｔｍｉｎが、前記端末がフィードバック応答情報を伝送する最小の伝送時間遅延であり、
又は前記Ｔｍｉｎが、前記ネットワーク側装置により構成されるパラメータであることを特徴とする請求項４３又は４６に記載のネットワーク側装置。
【請求項４８】
前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータであることを特徴とする請求項４３又は４６に記載のネットワーク側装置。
【請求項４９】
前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットであることを特徴とする請求項４４〜４６のいずれか１項に記載のネットワーク側装置。
【請求項５０】
前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含むことを特徴とする請求項４９に記載のネットワーク側装置。
【請求項５１】
前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数であることを特徴とする請求項４８に記載のネットワーク側装置。
【請求項５２】
前記送受信ユニットは、前記端末が送信したジョイント符号化後の前記フィードバック応答情報を受信するように構成され、
又は前記送受信ユニットは、前記端末が１つの物理チャネルにより送信した前記フィードバック応答情報を受信するように構成されることを特徴とする請求項４０〜５１のいずれか１項に記載のネットワーク側装置。
【請求項５３】
端末であって、
１つ又は複数のプロセッサ、メモリ、送受信機、及び１つ又は複数のプログラムを含み、前記１つ又は複数のプログラムが前記メモリに記憶され、且つ前記１つ又は複数のプロセッサで実行されるように構成され、前記プログラムが請求項１〜１３のいずれか１項に記載の方法におけるステップを実行するための命令を含むことを特徴とする前記端末。
【請求項５４】
コンピュータ可読記憶媒体であって、
電子データを交換するためのコンピュータプログラムを記憶し、前記コンピュータプログラムがコンピュータに請求項１−１３いずれかに記載の方法を実行させることを特徴とする前記コンピュータ可読記憶媒体。
【請求項５５】
コンピュータプログラム製品であって、
前記コンピュータプログラム製品は、コンピュータプログラムを記憶する非瞬時性コンピュータ可読記憶媒体を含み、前記コンピュータプログラムが、請求項１〜１３のいずれか１項に記載の方法をコンピュータに実行させるように操作することができることを特徴とする前記コンピュータプログラム製品。
【請求項５６】
ネットワーク側装置であって、
１つ又は複数のプロセッサ、メモリ、送受信機、及び１つ又は複数のプログラムを含み、前記１つ又は複数のプログラムが前記メモリに記憶され、且つ前記１つ又は複数のプロセッサで実行されるように構成され、前記プログラムが、請求項１９至２７のいずれか１項に記載の方法におけるステップを実行するための命令を含むことを特徴とする前記ネットワーク側装置。
【請求項５７】
コンピュータ可読記憶媒体であって、
電子データを交換するためのコンピュータプログラムを記憶し、前記コンピュータプログラムが、請求項２７−３９いずれかに記載の方法をコンピュータに実行させるように操作することができることを特徴とする前記コンピュータ可読記憶媒体。
【請求項５８】
コンピュータプログラム製品であって、
前記コンピュータプログラム製品は、コンピュータプログラムを記憶する非瞬時性コンピュータ可読記憶媒体を含み、前記コンピュータプログラムが、請求項２７〜３９のいずれか１項に記載の方法をコンピュータに実行させるように操作することができることを特徴とする前記コンピュータプログラム製品。
【発明の詳細な説明】
【関連出願の相互参照】
【０００１】
本願は、２０１７年８月９日に中国特許庁へ出願され、出願番号がＰＣＴ／ＣＮ２０１７／０９６６５６で、発明の名称が「フィードバック応答情報の長さ確定方法及び関連製品」であるＰＣＴ特許出願の優先権を主張し、その内容の全体が援用によりここに組み合わせられる。
【技術分野】
【０００２】
本発明は通信技術分野に関し、特にフィードバック応答情報の長さ確定方法及び関連製品に関する。
【背景技術】
【０００３】
ハイブリッド自動再送要求（英語：Ｈｙｂｒｉｄ  Ａｕｔｏｍａｔｉｃ  Ｒｅｐｅａｔ  ｒｅｑｕｅｓｔ、ＨＡＲＱ）は記憶、要求再伝送、組み合わせ復調の結合である。すなわち、受信側は、復号に失敗した場合では、受信したデータを記憶し、データを再伝送するように送信側に要求し、受信側は再伝送されたデータ及びこの前に受信したデータを組み合わせて復号する。
【０００４】
新しいエアインタフェース（ｎｅｗ  ｒａｄｉｏ、ＮＲ）システムにおいて、ハイブリッド自動再送要求伝送時間（英語：Ｈｙｂｒｉｄ  Ａｕｔｏｍａｔｉｃ  Ｒｅｐｅａｔ  ｒｅｑｕｅｓｔ  ｔｉｍｉｎｇ、ＨＡＲＱ  ｔｉｍｉｎｇ）を動的に指示することをサポートし、ＨＡＲＱ  ｔｉｍｉｎｇの技術案では、１つの伝送時間ユニット（たとえば１つのタイムスロットｓｌｏｔ）内のフィードバックされる肯定応答（英語：ａｃｋｎｏｗｌｅｄｇｅｍｅｎｔ、ＡＣＫ）／否定応答（英語：ｎｅｇａｔｉｖｅ  ａｃｋｎｏｗｌｅｄｇｅｍｅｎｔ、ＮＡＣＫ）の長さ（すなわちビット数）を確定することができなく、従って現行のＮＲシステムにおいてＡＣＫ／ＮＡＣＫの多重伝送をサポートすることができない。
【発明の概要】
【発明が解決しようとする課題】
【０００５】
本発明の実施例はフィードバック応答情報の長さ確定方法及び関連製品を提供しており、それによりＮＲシステムにおけるＡＣＫ／ＮＡＣＫの多重伝送を実現する。
【課題を解決するための手段】
【０００６】
第一様態では、本発明の実施例に係わるフィードバック応答情報の長さ確定方法は、
端末はネットワーク側装置が送信した構成シグナリングを受信し、前記構成シグナリングが、指示されるフィードバック応答情報の最大の伝送時間遅延を含むステップと、
前記端末がハイブリッド自動再送要求フィードバックのタイミングを動的に確定するステップと、
前記端末が前記最大の伝送時間遅延に基づいて、伝送待ちのフィードバック応答メッセージの総ビット数を確定するステップと、
前記端末が前記ネットワーク側装置に前記総ビット数の前記伝送待ちのフィードバック応答メッセージを送信するステップと、を含む。
【０００７】
好ましくは、前記端末が前記最大の伝送時間遅延に基づいて、伝送待ちのフィードバック応答メッセージの総ビット数を確定することは、
前記端末が前記最大の伝送時間遅延、及び最小の伝送時間遅延に基づき、伝送待ちのフィードバック応答メッセージの総ビット数を確定することを含む。
【０００８】
好ましくは、前記端末が前記最大の伝送時間遅延に基づいて、伝送待ちのフィードバック応答メッセージの総ビット数を確定することは、
前記端末が前記最大の伝送時間遅延と最小の伝送時間遅延との間の差に基づき、伝送待ちのフィードバック応答メッセージの総ビット数を確定することを含む。
【０００９】
好ましくは、前記端末が前記最大の伝送時間遅延に基づいて前記伝送待ちのフィードバック応答メッセージの総ビット数を確定することは、
前記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数であることを含む。
【００１０】
好ましくは、前記端末が前記最大の伝送時間遅延に基づいて、伝送待ちのフィードバック応答メッセージの総ビット数を確定することは、
前記端末が前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値であることを含む。
【００１１】
好ましくは、前記端末が前記最大の伝送時間遅延に基づいて、伝送待ちのフィードバック応答メッセージの総ビット数を確定することは、
前記端末が前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値であることを含む。
【００１２】
好ましくは、前記端末が前記最大の伝送時間遅延に基づいて前記伝送待ちのフィードバック応答メッセージの総ビット数を確定することは、
前記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であることを含む。
【００１３】
好ましくは、前記Ｔｍｉｎが、前記端末がフィードバック応答情報を伝送する最小の伝送時間遅延であり、
又は前記Ｔｍｉｎが、前記ネットワーク側装置により構成されるパラメータである。
【００１４】
好ましくは、前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータである。
【００１５】
好ましくは、前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットである。
【００１６】
好ましくは、前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含む。
【００１７】
好ましくは、前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数である。
【００１８】
好ましくは、前記端末が前記基地局に前記総ビット数の前記伝送待ちのフィードバック応答メッセージを送信することは、
前記端末が前記フィードバック応答情報をジョイント符号化してから送信すること、
又は前記端末が前記フィードバック応答情報を１つの物理チャネルにより送信すること、を含む。
【００１９】
第二様態では、端末を提供しており、前記端末が処理ユニットと前記処理ユニットに接続される送受信ユニットとを含み、
前記送受信ユニットは、ネットワーク側装置が送信した構成シグナリングを受信するように構成され、前記構成シグナリングが、指示されるフィードバック応答情報の最大の伝送時間遅延を含み、
前記処理ユニットは、ハイブリッド自動再送要求フィードバックのタイミングを動的に確定し、前記最大の伝送時間遅延に基づいて、伝送待ちのフィードバック応答メッセージの総ビット数を確定するように構成され、
前記送受信ユニットは、前記ネットワーク側装置に前記総ビット数の前記伝送待ちのフィードバック応答メッセージを送信するように構成される。
【００２０】
好ましくは、前記処理ユニットは、具体的に前記最大の伝送時間遅延、及び最小の伝送時間遅延に基づき、伝送待ちのフィードバック応答メッセージの総ビット数を確定するように構成される。
【００２１】
好ましくは、前記処理ユニットは、具体的に前記最大の伝送時間遅延と最小の伝送時間遅延との間の差に基づき、伝送待ちのフィードバック応答メッセージの総ビット数を確定するように構成される。
【００２２】
好ましくは、前記処理ユニットは、具体的に前記最大の伝送時間遅延に基づき、前記伝送待ちのフィードバック応答メッセージの総ビット数を確定し、前記総ビット数Ｎ＝Ｃ×（Ｔｍａｘ−Ｔｍｉｎ）であり、
Ｔｍａｘが最大の伝送時間遅延であり、ＴｍｉｎがＴｍａｘより小さい非負整数であり、Ｃが正整数であるように構成される。
【００２３】
好ましくは、前記処理ユニットは、具体的に前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値であるように構成される。
【００２４】
好ましくは、前記処理ユニットは、具体的に前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値であるように構成される。
【００２５】
好ましくは、前記処理ユニットは、具体的に前記最大の伝送時間遅延に基づき、前記伝送待ちのフィードバック応答メッセージの総ビット数を確定し、総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であるように構成される。
【００２６】
好ましくは、前記Ｔｍｉｎが、前記端末がフィードバック応答情報を伝送する最小の伝送時間遅延であり、
又は前記Ｔｍｉｎが、前記ネットワーク側装置により構成されるパラメータである。
【００２７】
好ましくは、前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータである。
【００２８】
好ましくは、前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットである。
【００２９】
好ましくは、前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含む。
【００３０】
好ましくは、前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数である。
【００３１】
好ましくは、前記送受信ユニットが、具体的に前記フィードバック応答情報をジョイント符号化してから送信するように構成され、
又は前記送受信ユニットが、具体的に前記フィードバック応答情報を１つの物理チャネルにより送信するように構成される。
【００３２】
第三様態では、フィードバック応答情報の長さ確定方法を提供しており、前記方法は、
ネットワーク側装置が端末に構成シグナリングを送信し、前記構成シグナリングが、指示されるフィードバック応答情報の最大の伝送時間遅延を含むステップと、
前記ネットワーク側装置が前記端末がハイブリッド自動再送要求フィードバックのタイミングを動的に確定することを確定するステップと、
前記ネットワーク側装置が前記最大の伝送時間遅延に基づいて、伝送待ちのフィードバック応答メッセージの総ビット数を確定するステップと、
前記ネットワーク側装置は前記端末が送信した前記総ビット数の前記伝送待ちのフィードバック応答メッセージを受信するステップと、含む。
【００３３】
好ましくは、前記ネットワーク側装置が前記最大の伝送時間遅延に基づいて、伝送待ちのフィードバック応答メッセージの総ビット数を確定することは、
前記ネットワーク側装置が前記最大の伝送時間遅延、及び最小の伝送時間遅延に基づき、伝送待ちのフィードバック応答メッセージの総ビット数を確定することを含む。
【００３４】
好ましくは、前記ネットワーク側装置が前記最大の伝送時間遅延に基づいて、伝送待ちのフィードバック応答メッセージの総ビット数を確定することは、
前記ネットワーク側装置が前記最大の伝送時間遅延と最小の伝送時間遅延との間の差に基づき、伝送待ちのフィードバック応答メッセージの総ビット数を確定することを含む。
【００３５】
好ましくは、前記ネットワーク側装置が前記最大の伝送時間遅延に基づき、前記伝送待ちのフィードバック応答メッセージの総ビット数を確定することは、
前記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数であることを含む。
【００３６】
好ましくは、前記ネットワーク側装置が前記最大の伝送時間遅延に基づいて、伝送待ちのフィードバック応答メッセージの総ビット数を確定することは、
前記ネットワーク側装置が前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値であることを含む。
【００３７】
好ましくは、前記ネットワーク側装置が前記最大の伝送時間遅延に基づいて、伝送待ちのフィードバック応答メッセージの総ビット数を確定することは、
前記ネットワーク側装置が前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値であることを含む。
【００３８】
好ましくは、前記ネットワーク側装置が前記最大の伝送時間遅延に基づき、前記伝送待ちのフィードバック応答メッセージの総ビット数を確定することは、
前記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数であることを含む。
【００３９】
好ましくは、前記Ｔｍｉｎが、前記端末がフィードバック応答情報を伝送する最小の伝送時間遅延であり、
又は前記Ｔｍｉｎが、前記ネットワーク側装置により構成されるパラメータである。
【００４０】
好ましくは、前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータである。
【００４１】
好ましくは、前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットである。
【００４２】
好ましくは、前記第一種類時間ユニットは、上り時間ユニット、前記端末が物理共有チャネルを伝送しない時間ユニット、又は前記端末が下り制御シグナリングをモニタリングしない時間ユニットのうち１つ又は任意の組み合わせを含む。
【００４３】
好ましくは、前記１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数である。
【００４４】
好ましくは、前記ネットワーク側装置は、前記端末が送信した前記総ビット数の前記伝送待ちのフィードバック応答メッセージを受信することは、
前記ネットワーク側装置は前記端末が送信したジョイント符号化後の前記フィードバック応答情報を受信すること、
又は前記ネットワーク側装置は前記端末が１つの物理チャネルにより送信した前記フィードバック応答情報を受信すること、を含む。
【００４５】
第四様態では、ネットワーク側装置を提供しており、前記ネットワーク側装置が処理ユニットと前記処理ユニットに接続される送受信ユニットとを含み、
送受信ユニットは、端末に構成シグナリングを送信するように構成され、前記構成シグナリングが、指示されるフィードバック応答情報の最大の伝送時間遅延を含み、
処理ユニットは、前記端末がハイブリッド自動再送要求フィードバックのタイミングを動的に確定することを確定し、前記最大の伝送時間遅延に基づいて、伝送待ちのフィードバック応答メッセージの総ビット数を確定するように構成され、
前記送受信ユニットは、前記端末が送信した前記総ビット数の前記伝送待ちのフィードバック応答メッセージを受信するように構成される。
【００４６】
第五様態では、端末を提供しており、１つ又は複数のプロセッサ、メモリ、送受信機、及び１つ又は複数のプログラムを含み、前記１つ又は複数のプログラムが前記メモリに記憶され、且つ前記１つ又は複数のプロセッサで実行されるように構成され、前記プログラムが第一様態では提供される方法におけるステップを実行するための命令を含む。
【００４７】
第六様態では、コンピュータ可読記憶媒体を提供しており、それに電子データを交換するためのコンピュータプログラムが記憶され、前記コンピュータプログラムがコンピュータに第一様態では提供される方法を実行させる。
【００４８】
第七様態では、コンピュータプログラム製品を提供しており、前記コンピュータプログラム製品はコンピュータプログラムが記憶される非瞬時性コンピュータ可読記憶媒体を含み、前記コンピュータプログラムが操作可能であり、それによりコンピュータに第一様態では提供される方法を実行させる。
【００４９】
第八様態では、ネットワーク装置を提供しており、１つ又は複数のプロセッサ、メモリ、送受信機、及び１つ又は複数のプログラムを含み、前記１つ又は複数のプログラムが前記メモリに記憶され、且つ前記１つ又は複数のプロセッサで実行されるように構成され、前記プログラムが第一様態では提供される方法におけるステップを実行するための命令を含む。
【００５０】
第九様態では、コンピュータ可読記憶媒体を提供しており、それに電子データを交換するためのコンピュータプログラムが記憶され、前記コンピュータプログラムがコンピュータに第二様態では提供される方法を実行させる。
【００５１】
第十様態では、コンピュータプログラム製品を提供しており、前記コンピュータプログラム製品はコンピュータプログラムが記憶される非瞬時性コンピュータ可読記憶媒体を含み、前記コンピュータプログラムが操作可能であり、それによりコンピュータに第二様態では提供される方法を実行させる。
【発明の効果】
【００５２】
以上から分かるように、本発明の実施例では、端末は基地局が送信した最大の伝送時間遅延を受信し、該最大伝送時間により該伝送待ちのフィードバック応答メッセージの長さを計算し、且つ該長さの該フィードバック応答メッセージを基地局に送信し、それによりＮＲシステムにおいてＡＣＫ／ＮＡＣＫの１つの伝送時間ユニットにおける多重伝送をサポートすることを実現し、ＮＲシステムにおいてフィードバック応答メッセージの多重伝送をサポートするという利点を有する。
【図面の簡単な説明】
【００５３】
【図１】図１は例示的な通信システムの構造模式図である。
【図２】図２は例示的なＮＲ通信システムの構造模式図である。
【図２Ａ】図２Ａは例示的な伝送時間ユニット模式図である。
【図３】図３は本発明の実施例に係わるフィードバック応答メッセージの長さ確定方法の模式図である。
【図３Ａ】図３Ａは本発明の実施例に係わる伝送時間ユニット模式図である。
【図３Ｂ】図３Ｂは本発明の別の実施例に係わるフィードバック応答メッセージの長さ確定方法のプロセス模式図である。
【図３Ｃ】図３Ｃは本発明のさらに別の実施例に係わるさらに別のフィードバック応答情報の長さ確定方法のプロセス模式図である。
【図４】図４は本発明の実施例に係わる端末の機能ユニットの構成ブロック図である。
【図４Ａ】図４Ａは本発明の実施例に係わるネットワーク装置の機能ユニットの構成ブロック図である。
【図５】図５は本発明の実施例に係わる端末のハードウェア構造模式図である。
【図５Ａ】図５Ａは本発明の実施例に係わるネットワーク装置のハードウェア構造模式図である。
【図６】図６は本発明の実施例に係わる別の端末の構造模式図である。
【発明を実施するための形態】
【００５４】
以下では実施例又は現行の技術説明に必要な図面を簡単に説明する。
【００５５】
以下では図面を参照しながら、本発明の実施例における技術案を説明する。
【００５６】
図１に示されるように、図１は本発明の実施例に係わる例示的な通信システムの可能なネットワーク構成である。該例示的な通信システムは５Ｇ  ＮＲ通信システムであってもよく、具体的にネットワーク側装置及び端末を含み、端末はネットワーク側装置が提供した移動通信ネットワークにアクセスする時、端末とネットワーク側装置との間に無線リンクにより通信接続を行うことができ、該通信接続方式がシングル接続方式であってもよく、又はダブル接続方式であってもよく、又はマルチ接続方式であってもよく、しかし、通信接続方式がシングル接続方式である時、ネットワーク側装置がＬＴＥ基地局であってもよく、又はＮＲ基地局（又はｇＮＢと呼称される）であってもよく、通信方式がダブル接続方式である時（具体的にキャリアアグリゲーションＣＡ技術により実現されてもよく、又は複数のネットワーク側装置で実現されてもよい）、且つ端末が複数のネットワーク側装置に接続される時、該複数のネットワーク側装置がメイン基地局ＭＣＧ及びサブ基地局ＳＣＧであってもよく、基地局の間がバックホールリンクｂａｃｋｈａｕｌによりデータリターン伝送を行い、メイン基地局がＮＲ基地局であってもよく、サブ基地局がＮＲ基地局であってもよい。
【００５７】
本発明の実施例では、用語「ネットワーク」と「システム」は常に交換可能に使用され、当業者であれば、その意味を理解できる。本発明の実施例に関する端末は無線通信機能を有する様々なハンドヘルド装置、車載装置、ウェアラブル装置、計算装置又は無線モデムに接続される他の処理装置、及び各種形式のユーザー装置（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末装置（ｔｅｒｍｉｎａｌ  ｄｅｖｉｃｅ）等を含んでもよい。説明の便宜上、以上に言及した装置は端末と総称される。
【００５８】
図２に示されるように、図２は第５世代移動通信システム５Ｇの新しいエアインタフェースＮＲのネットワーク構成の模式図を提供し、図２に示されるように、新しいエアインタフェース基地局（英語：Ｎｅｗ  Ｒａｄｉｏ  Ｎｏｄｅ  Ｂ、ＮＲ−ＮＢ）では、１つ又は複数の送受信ポイント（英語：Ｔｒａｎｓｍｉｓｓｉｏｎ  Ｒｅｃｅｐｔｉｏｎ  Ｐｏｉｎｔ、ＴＲＰ）が存在する可能性があり、１つ又は複数のＴＲＰ範囲内に１つの又は複数の端末が存在してもよい。図２に示されるＮＲシステムにおいて、端末は、下りデータに対してＨＡＲＱにより基地局に該下りデータの受信が成功するかどうかをフィードバックする必要があり、すなわち端末が基地局にＨＡＲＱ  ＡＣＫ／ＮＡＣＫをフィードバックする必要がある。ＮＲシステムにおいて、データ（主に下りデータ）に対するＡＣＫ／ＮＡＣＫフィードバック情報のＨＡＲＱ  ｔｉｍｉｎｇがｇＮＢで動的に指示されてもよいため、以下の伝送時間ユニットがｓｌｏｔを例として、図２Ａに示されるように、ＮＲシステムのＨＡＲＱ  ｔｉｍｉｎｇの伝送時間ユニットの模式図であり、ここでｓｌｏｔ  ｎにおいて該ＨＡＲＱ  ｔｉｍｉｎｇを指示すると仮定し、図２Ａに示されるように、ここで該ＨＡＲＱ  ｔｉｍｉｎｇが５つのタイムスロットであってもよいと仮定し、５つのタイムスロットにおいて、ｓｌｏｔ  ｎが下りリンク（Ｄｏｗｎｌｉｎｋ、ＤＬ）によって伝送される下りデータであり、ｓｌｏｔ  ｎ＋１が上りリンク（Ｕｐｌｉｎｋ、ＵＬ）によって伝送される上りデータであり、ｓｌｏｔ  ｎ＋２が下りデータであり、ｓｌｏｔ  ｎ＋３が下りデータであり、ｓｌｏｔ  ｎ＋４が空であり、ｓｌｏｔ  ｎ＋５は端末が基地局に該ＡＣＫ／ＮＡＣＫをフィードバックするタイムスロットであり、該ｓｌｏｔ  ｎ＋２、ｓｌｏｔ  ｎ＋３がいずれも下りデータであるため、ｓｌｏｔ  ｎ＋２、ｓｌｏｔ  ｎ＋３に対してそれに対応するＡＣＫ／ＮＡＣＫをフィードバックする必要があり、ｇＮＢは、該ｓｌｏｔ  ｎ＋２に対応するＡＣＫ／ＮＡＣＫのＨＡＲＱ  ｔｉｍｉｎｇが３つのタイムスロットであり、該ｓｌｏｔ  ｎ＋３に対応するＡＣＫ／ＮＡＣＫのＨＡＲＱ  ｔｉｍｉｎｇが２つのタイムスロットであることを動的に指示する場合、ｓｌｏｔ  ｎ＋５は、３つのｓｌｏｔのＡＣＫ／ＮＡＣＫを有することになり、すなわちｓｌｏ
ｔ  ｎ＋５内に、３つのｓｌｏｔのＡＣＫ／ＮＡＣＫが多重伝送する必要があり、図２に示されるＮＲシステムにおける端末が３つのｓｌｏｔのＡＣＫ／ＮＡＣＫのｓｌｏｔ  ｎ＋５における多重伝送を実現できない。
【００５９】
図３に示されるように、図３は本発明の実施例に係わるフィードバック応答メッセージの長さの確定方法であり、該方法が端末で実行され、該方法が図３に示されるように、下記ステップを含む。
【００６０】
ステップＳ３０１において、端末は、ネットワーク側装置（たとえば基地局）が送信した構成シグナリングを受信し、該構成シグナリングが、指示されるフィードバック応答情報の最大の伝送時間遅延を含み得る。
【００６１】
上記ステップＳ３０１において、構成シグナリングが物理下り共有チャネル（英語：Ｐｈｙｓｉｃａｌ  Ｄｏｗｎｌｉｎｋ  Ｓｈａｒｅｄ  Ｃｈａｎｎｅｌ、ＰＤＳＣＨ）をスケジューリングする時に伝送されてもよい。具体的に、該ＰＤＳＣＨをスケジューリングするＤＬ  ｇｒａｎｔにおいて該最大の伝送時間遅延を指示することができ、ここで伝送時間ユニットがタイムスロット（ｓｌｏｔ）であることを例として説明すると、ここで該第一伝送時間ユニットがｓｌｏｔ  ｎであると仮定し、該最大の伝送時間遅延がｓｌｏｔの個数であってもよく、具体的に、該最大の伝送時間遅延がｋ１であることとすれば、ｓｌｏｔ  ｎの該ＰＤＳＣＨをスケジューリングするＤＬ  ｇｒａｎｔにおいてｋ１を指示する。
【００６２】
ステップＳ３０２において、端末がＨＡＲＱフィードバックのタイミングを動的に確定する。
【００６３】
上記ステップＳ３０２の実現方法は、具体的に、端末が該構成情報を解析して該最大の伝送時間遅延を得、該構成シグナリングを受信した第一伝送時間ユニットを基準として、該最大の伝送時間遅延を遅延させた後の伝送時間ユニットがＨＡＲＱフィードバック応答メッセージの伝送時間ユニットであることであってもよい。ここで伝送時間ユニットが依然としてｓｌｏｔを例として、該構成シグナリングがｓｌｏｔ  ｎに搬送されて送信され、それに対応する最大の伝送時間遅延がｋ１であり、確定したＨＡＲＱフィードバックのタイミングがｋ１であると仮定すれば、該ＨＡＲＱフィードバック応答メッセージの伝送時間ユニットがｓｌｏｔ  ｎ＋ｋ１であってもよい。
【００６４】
ステップＳ３０３において、端末が該最大の伝送時間遅延に基づいて該伝送待ちのフィードバック応答メッセージの長さ（すなわち総ビット数）を確定する。
【００６５】
好ましくは、前記端末が前記最大の伝送時間遅延、及び最小の伝送時間遅延に基づき、伝送待ちのフィードバック応答メッセージの総ビット数を確定する。
【００６６】
好ましくは、前記端末が前記最大の伝送時間遅延と最小の伝送時間遅延との間の差に基づき、伝送待ちのフィードバック応答メッセージの総ビット数を確定する。
【００６７】
好ましくは、前記端末が前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値である。
【００６８】
好ましくは、前記端末が前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値である。
【００６９】
ステップＳ３０４において、端末が該伝送待ちのフィードバック応答メッセージの長さを確定したフィードバック応答情報を含むメッセージを送信する。
【００７０】
上記ステップＳ３０４の実現方法は具体的に、
端末が、該フィードバック応答情報をジョイント符号化してから送信することであってもよく、
又は端末が、該フィードバック応答情報を１つの物理チャネルにより送信することであってもよい。
【００７１】
図３に示される実施例に係わる技術案では、基地局がＰＤＳＣＨ伝送をスケジューリングする時、第一伝送時間ユニット内の該ＰＤＳＣＨをスケジューリングするＤＬ  ｇｒａｎｔにおいて最大の伝送時間遅延を指示し、端末が該第一伝送時間ユニットを受信した後に該最大の伝送時間遅延を取得し、該最大の伝送時間により該ＨＡＲＱフィードバック応答メッセージの長さを計算し、且つ該長さの該ＨＡＲＱフィードバック応答メッセージを基地局に送信し、それによりＮＲシステムにおいてＡＣＫ／ＮＡＣＫの１つの伝送時間ユニットにおける多重伝送をサポートすることを実現する。
【００７２】
以下では１つの実例を用いてそれが達成した技術的効果を説明し、図２に示されるＮＲシステムにおいて図２Ａに示される伝送時間ユニットを送信し、ここで各伝送時間ユニットがいずれも２つの伝送ブロック（英語：ｔｒａｎｓｐｏｒｔ  ｂｌｏｃｋ、ＴＢ）を含むことを仮定し、且つｓｌｏｔ  ｎ、ｓｌｏｔ  ｎ＋２において端末が受信に成功し、ｓｌｏｔ  ｎ＋３において端末が受信できていないことを仮定すると、現行のＮＲシステムでは、ｓｌｏｔ  ｎ＋５においてフィードバック応答情報が１１１１であり得、現行のＮＲシステムにおいて、端末が該ｓｌｏｔのデータの受信に成功していない場合、それに対応する応答をフィードバックしないようになっており、従って、端末がｓｌｏｔ  ｎ＋５に、ｓｌｏｔ  ｎ＋３に対応するＨＡＲＱフィードバック応答メッセージを含めることがなく、基地局が、該１１１１によって、端末がｓｌｏｔ  ｎ＋２、それともｓｌｏｔ  ｎ＋３が受信されていないことを把握できず、このようにして、基地局が端末のＨＡＲＱフィードバック応答メッセージを正確に把握することができず、さらに後続のステップを行うことができず、たとえば、ＨＡＲＱフィードバック応答メッセージに基づいて再伝送データを行う等々することができない。図３に示される技術案に基づき、端末がｓｌｏｔ  ｎにおいて構成情報を受信し、該構成情報が最大の伝送時間遅延である５つのタイムスロットを含み、端末が該最大の伝送時間遅延に基づいて、ＨＡＲＱフィードバック応答メッセージの総ビット数が６つのビットであることを確定し（総ビット数を具体的に確定する方法は下記説明を参照してもよく、ここで説明を省略する）、この場合、端末がｓｌｏｔ  ｎ＋５において６つのビットのＨＡＲＱフィードバック応答メッセージを送信し、具体的には、１１１１００を送信することができ、基地局は、下りデータのタイムスロットの割り当てに基づき、ｓｌｏｔ  ｎ、ｓｌｏｔ  ｎ＋２の伝送が成功し、ｓｌｏｔ  ｎ＋３の伝送に失敗したことを把握することができ、それによってＮＲシステムにおいてＡＣＫ／ＮＡＣＫの１つの伝送時間ユニットにおける多重伝送をサポートすることを実現する。
【００７３】
好ましくは、上記ステップＳ３０３の実現方法は、具体的に、
下記の公式（１）に基づいて計算してフィードバック応答情報の長さすなわち総ビット数Ｎを取得し、
Ｎ＝Ｃ×（Ｔｍａｘ−Ｔｍｉｎ）      公式（１）
Ｃが正整数であってもよく、Ｔｍａｘが最大の伝送時間遅延であってもよく、ＴｍｉｎがＴｍａｘ以下の非負整数であってもよいことであってもよい。
【００７４】
具体的に、該Ｔｍｉｎが、該端末がフィードバック応答情報を転送する最小の伝送時間遅延であってもよく、当然、該Ｔｍｉｎがさらにネットワーク側装置により構成されるパラメータであってもよく、該パラメータが固定値であってもよく、当然、実際の応用では、該Ｔｍｉｎの値がさらに上記構成シグナリングによって搬送されてもよい。
【００７５】
Ｃが、１つの物理下り共有チャネルに対応するフィードバック応答情報の最大ビット数であってもよく、
又はＣが、設定された定数であってもよく（すなわちプロトコルの所定値又はメーカーの予約値であってもよい）、
又はＣが、前記ネットワーク側装置により構成されるパラメータであってもよい。
【００７６】
上記した１つの物理下り共有チャネルに対応するフィードバック応答情報の最大ビット数は、具体的に、
１つの物理下り共有チャネルに搬送される伝送ブロックの最大数であってもよく、
又は１つの物理下り共有チャネルに搬送される符号化ブロックグループの最大数であってもよい。
【００７７】
たとえば、１つの物理下り共有チャネルｓｌｏｔに搬送されるＴＢの最大数が２つであってもよく（この数が例を挙げて説明するものであり、本発明が該数の具体的な値を制限しない）、ここで各ｓｌｏｔがいずれも２つＴＢを含むことを示さず、実際の応用では、該ｓｌｏｔが１つのＴＢを含んでもよく、又はＴＢを含まなくてもよい（たとえば図２Ａに示されるｓｌｏｔ  ｎ＋４）。１つの物理下り共有チャネルｓｌｏｔに搬送されるＣＢ  Ｇｒｏｕｐの数が４つであってもよく（この数が例を挙げて説明するものであり、本発明が該数の具体的な値を制限しない）、同様に、ここで各ｓｌｏｔがいずれも４つのＣＢ  Ｇｒｏｕｐを含むことを示すわけではない。以下では１つの実例で該Ｎ値の確認方法を説明し、図３Ａに示されるように、該構成シグナリングがｓｌｏｔ  ｎによって搬送されてもよく、該構成シグナリングにおける最大の伝送時間遅延が４つのｓｌｏｔであり、該構成シグナリングにおける最小の伝送時間遅延が１つのｓｌｏｔであり、各ｓｌｏｔに含まれるフィードバック応答情報の基本ユニットの総数が２つであると仮定し、ここでフィードバック応答情報の基本ユニットがＴＢを例として、当然、実際の応用では、上記フィードバック応答情報の基本ユニットがさらにコードブロックグループ（英語：ｃｏｄｅ  ｂｌｏｃｋ  Ｇｒｏｕｐ、ＣＢ  Ｇｒｏｕｐ）であってもよく、該ＣＢ  Ｇｒｏｕｐに少なくとも１つのＣＢが含まれる。上記公式（１）によって計算されたＮ＝２×（４−１）＝６に基づき、６つのビットであることを確定する。
【００７８】
この技術案は、該ＴｍａｘとＴｍｉｎとの間のフィードバック応答情報が基地局にフィードバックされる必要があるかどうかを区別しておらず、図３Ａに示されるように、該ｓｌｏｔ  ｎ＋１が上りデータであってもよく、ｓｌｏｔ  ｎ＋１に対して、基地局にフィードバック応答情報を送信する必要がなく、該技術案ではｓｌｏｔ  ｎ＋１のフィードバック応答情報が特定の数値（たとえば１又は０）で充填されてもよく、基地局において、それが該ｓｌｏｔ  ｎ及びｓｌｏｔ  ｎ＋２のフィードバック応答情報を識別することができればよく、ｓｌｏｔ  ｎ＋１のフィードバック応答情報を、廃棄してもよく、又は処理しなくてもよい。
【００７９】
好ましくは、上記ステップＳ３０３の実現方法は、
具体的に、下記の公式（２）に基づき、計算してフィードバック応答情報の長さ、即ち総ビット数Ｎを取得し、
Ｎ＝Ｃ×（Ｔｍａｘ−Ｔｍｉｎ−Ｍｎｏｎ−ＤＬ）      公式（２）
Ｔｍｉｎ及びＭｎｏｎ−ＤＬが非負整数であってもよく、且つＮが非負の値であり、上記Ｃ及びＴｍａｘの意味について、公式（１）における説明を参照してもよいことであってもよい。
【００８０】
好ましくは、上記Ｍｎｏｎ−ＤＬは、
具体的に、伝送時間ユニットＹ−Ｔｍａｘと伝送時間ユニットＹ−Ｔｍｉｎとの間のすべての第一種類時間ユニットの数であってもよく、伝送時間ユニットＹが伝送フィードバック応答情報の伝送時間ユニットである。
【００８１】
上記第一種類時間ユニットは、具体的に上り時間ユニット、端末が物理共有チャネルを伝送しない時間ユニット又は端末が下り制御シグナリングをモニタリングしない時間ユニットのうち１つ又は任意の組み合わせを含んでもよいがそれらに制限されない。
【００８２】
以上の公式（１）及び公式（２）を利用してフィードバック応答メッセージの長さを確定する以外、本願の実施例はさらに前記最大の伝送時間遅延及び最小の伝送時間遅延に基づいて他の実現方式を用いてフィードバック応答メッセージの長さを確定することができ、又は、前記最大の伝送時間遅延、最小の伝送時間遅延及びＭｎｏｎ−ＤＬに基づいて他の実現方式を用いてフィードバック応答メッセージの長さを確定し、簡潔にするために、ここで不再説明を省略すると理解されるべきである。
【００８３】
以下では１つの実例で該Ｎ値の確認方法を説明し、図３Ａに示されるように、該構成シグナリングがｓｌｏｔ  ｎに搬送されてもよく、該構成シグナリングにおける最大の伝送時間遅延が４つのｓｌｏｔであり、該構成シグナリングにおける最小の伝送時間遅延が１つのｓｌｏｔであり、ｓｌｏｔ  Ｙ−４とｓｌｏｔ  Ｙ−１との間の上り時間ユニットがｓｌｏｔ  ｎ＋１であり、従って、Ｍｏｎｏ−ＤＬ＝１。各ｓｌｏｔに含まれるフィードバック応答情報の基本ユニットの総数が２つであることを仮定し、ここでフィードバック応答情報の基本ユニットがＴＢを例として、当然、実際の応用では、上記フィードバック応答情報の基本ユニットがさらにＣＢ  Ｇｒｏｕｐであってもよく、該ＣＢ  Ｇｒｏｕｐに少なくとも１つのＣＢが含まれる。上記公式（２）では計算されたＮ＝２×（４−１−１）＝４に基づき、４つのビットであることを確定する。
【００８４】
この技術案は該ＴｍａｘとＴｍｉｎとの間のフィードバック応答情報が基地局にフィードバックされる必要があるかどうかを区別し、図３Ａに示されるように、該ｓｌｏｔ  ｎ＋１が上りデータであってもよく、ｓｌｏｔ  ｎ＋１に対して、基地局にフィードバック応答情報を送信する必要がなく、該技術案がフィードバック応答情報において該ｓｌｏｔ  ｎ＋１の情報をフィードバックしない。
【００８５】
図３Ｂに示されるように、図３Ｂは本発明の具体的な実施形態に係わるフィードバック応答メッセージの長さ確定方法であり、本実施例におけるネットワーク装置が基地局を例として、該方法が図１に示される端末と基地局との間に実行され、端末と基地局との間の伝送時間ユニットが図３Ａに示されるものであり、図３Ｂに示されるように、該方法は、
基地局がｓｌｏｔ  ｎにおいて端末に構成シグナリングを送信し、該構成シグナリングがフィードバック応答情報の最大の伝送時間遅延の４つのタイムスロットを指示することを含むステップＳ３０１Ｂと、
端末が該構成シグナリングにおける最大の伝送時間遅延を取得し、ＨＡＲＱフィードバックのタイミングが４つのタイムスロットであることを動的に確定するステップＳ３０２Ｂと、
端末が上記公式（２）に基づいて伝送待ちのフィードバック応答情報の総ビット数Ｎ＝２×（４−１−１）＝４つのビットであることを確定するステップＳ３０３Ｂと、
基地局が上記公式（２）に基づいて伝送待ちのフィードバック応答情報の総ビット数Ｎ＝２×（４−１−１）＝４つのビットであることを確定するステップＳ３０４Ｂと、
端末がｓｌｏｔ  ｎ＋４において基地局に４つのビットのフィードバック応答情報を送信するステップＳ３０５Ｂと、含む。本発明の技術案は、端末により該フィードバック応答情報の総ビット数を計算し、次に基地局に該総ビット数のフィードバック応答情報を送信し、このようにｓｌｏｔ  ｎ及びｓｌｏｔ  ｎ＋２のフィードバック応答情報をｓｌｏｔ  ｎ＋４において複合伝送することを実現する。
【００８６】
図３Ｃに示されるように、図３Ｃは別のフィードバック応答情報の長さ確定方法を提供しており、該方法がネットワーク側装置で実行され、該ネットワーク側装置が図１又は図２に示される基地局であってもよい。図３Ｃに示されるように、該方法は以下ステップを含む。
【００８７】
ステップＳ３０１Ｃにおいて、ネットワーク側装置は、端末に構成シグナリングを送信し、前記構成シグナリングが、指示されるフィードバック応答情報の最大の伝送時間遅延を含む。
【００８８】
ステップＳ３０２Ｃにおいて、ネットワーク側装置は、前記端末がハイブリッド自動再送要求フィードバックのタイミングを動的に確定することを確定する。
【００８９】
ステップＳ３０３Ｃにおいて、ネットワーク側装置が前記最大の伝送時間遅延に基づいて、伝送待ちのフィードバック応答メッセージの総ビット数を確定する。
【００９０】
好ましくは、前記ネットワーク側装置が前記最大の伝送時間遅延、及び最小の伝送時間遅延に基づき、伝送待ちのフィードバック応答メッセージの総ビット数を確定する。
【００９１】
好ましくは、前記ネットワーク側装置が前記最大の伝送時間遅延と最小の伝送時間遅延との間の差に基づき、伝送待ちのフィードバック応答メッセージの総ビット数を確定する。
【００９２】
好ましくは、前記ネットワーク側装置が前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値である。
【００９３】
好ましくは、前記ネットワーク側装置が前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値である。
【００９４】
ステップＳ３０４Ｃにおいて、ネットワーク側装置は、前記端末が送信した前記総ビット数の前記伝送待ちのフィードバック応答メッセージを受信する。
【００９５】
図３Ｃに示される実施例の方法は図３に示される実施例の方法の実現をサポートし、従ってそれがＮＲシステムのＡＣＫ／ＮＡＣＫの１つの伝送時間ユニットにおける多重伝送をサポートするという利点を有する。
【００９６】
１つの好ましい手段として、上記総ビット数Ｎ＝Ｃ×（Ｔｍａｘ−Ｔｍｉｎ）であり、
Ｔｍａｘが前記最大の伝送時間遅延であり、ＴｍｉｎがＴｍａｘより小さい非負整数であり、Ｃが正整数である。
【００９７】
別の好ましい手段として、上記総ビット数Ｎ＝Ｃ×（Ｔｍａｘ−Ｔｍｉｎ−Ｍｎｏｎ−ＤＬ）であり、
Ｔｍａｘが前記最大の伝送時間遅延であり、Ｔｍｉｎ、Ｍｎｏｎ−ＤＬＴｍａｘより小さい非負整数であり、Ｃが正整数である。
【００９８】
好ましくは、上記１つの好ましい手段又は別の好ましい手段では、
前記Ｔｍｉｎが、前記端末がフィードバック応答情報を伝送する最小の伝送時間遅延であり、
又は前記Ｔｍｉｎが、前記ネットワーク側装置により構成されるパラメータである。
【００９９】
好ましくは、上記１つの好ましい手段又は別の好ましい手段では、
前記Ｃが、１つの物理下り共有チャネルに対応するフィードバック応答情報の最大ビット数であり、
又は前記Ｃが、設定された定数であり、
又は前記Ｃが、前記ネットワーク側装置により構成されるパラメータである。
【０１００】
好ましくは、上記別の好ましい手段では、
前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹが、前記伝送待ちのフィードバック応答情報を伝送する時間ユニットである。
【０１０１】
好ましくは、上記第一種類時間ユニットは上り時間ユニット、前記端末が物理共有チャネルを伝送しない時間ユニット、又は前記端末が下り制御シグナリングをモニタリングしない時間ユニットのうち１つ又は任意の組み合わせを含む。
【０１０２】
好ましくは、上記した１つの物理下り共有チャネルに対応するフィードバック応答情報の最大ビット数は、
１つの物理下り共有チャネルに搬送される伝送ブロックの最大数であり、
又は１つの物理下り共有チャネルに搬送される符号化ブロックグループの最大数である。
【０１０３】
好ましくは、前記ネットワーク側装置は、前記端末が送信した前記総ビット数の前記伝送待ちのフィードバック応答メッセージを受信することは、
前記ネットワーク側装置は前記端末が送信したジョイント符号化後の前記フィードバック応答情報を受信すること、
又は前記ネットワーク側装置は前記端末が１つの物理チャネルにより送信した前記フィードバック応答情報を受信すること、を含む。
【０１０４】
図４に示されるように、図４はフィードバック応答メッセージの長さ確定装置を提供しており、該フィードバック応答メッセージの長さ確定装置が端末内に配置され、図４に示される実施例における詳細化した手段及び技術的効果については、図３又は図３Ｂに示される実施例の説明を参照してもよい。前記端末は、処理ユニット４０１と処理ユニット４０１に接続される送受信ユニット４０２とを含み、
送受信ユニット４０２は、ネットワーク側装置が送信した構成シグナリングを受信するように構成され、前記構成シグナリングが、指示されるフィードバック応答情報の最大の伝送時間遅延を含み、
処理ユニット４０１は、ハイブリッド自動再送要求フィードバックのタイミングを動的に確定し、前記最大の伝送時間遅延に基づいて、伝送待ちのフィードバック応答メッセージの総ビット数を確定するように構成され、
送受信ユニット４０２は、前記ネットワーク側装置に前記総ビット数の前記伝送待ちのフィードバック応答メッセージを送信するように構成される。
【０１０５】
好ましくは、前記処理ユニット４０１は、
具体的に前記最大の伝送時間遅延、及び最小の伝送時間遅延に基づき、伝送待ちのフィードバック応答メッセージの総ビット数を確定するように構成される。
【０１０６】
好ましくは、前記処理ユニット４０１は、
具体的に前記最大の伝送時間遅延と最小の伝送時間遅延との間の差に基づき、伝送待ちのフィードバック応答メッセージの総ビット数を確定するように構成される。
【０１０７】
好ましくは、前記処理ユニット４０１は、
具体的に前記最大の伝送時間遅延、最小の伝送時間遅延及びＭｎｏｎ−ＤＬに基づき、伝送待ちのフィードバック応答メッセージの総ビット数を確定し、Ｍｎｏｎ−ＤＬが前記最大の伝送時間遅延より小さい値であるように構成される。
【０１０８】
好ましくは、前記処理ユニット４０１は、
具体的に前記最大の伝送時間遅延から最小の伝送時間遅延とＭｎｏｎ−ＤＬを引いて得られた値に基づき、伝送待ちのフィードバック応答メッセージの総ビット数を確定し、Ｍｎｏｎ−ＤＬが前記最大の伝送時間遅延より小さい値であるように構成される。
【０１０９】
好ましくは、処理ユニット４０１は、具体的に前記最大の伝送時間遅延に基づき、前記伝送待ちのフィードバック応答メッセージの総ビット数を確定し、前記総ビット数Ｎ＝Ｃ×（Ｔｍａｘ−Ｔｍｉｎ）であり、
Ｔｍａｘが最大の伝送時間遅延であり、ＴｍｉｎがＴｍａｘより小さい非負整数であり、Ｃが正整数であるように構成される。
【０１１０】
好ましくは、処理ユニット４０１は、具体的に前記最大の伝送時間遅延に基づき、前記伝送待ちのフィードバック応答メッセージの総ビット数を確定し、総ビット数Ｎ＝Ｃ×（Ｔｍａｘ−Ｔｍｉｎ−Ｍｎｏｎ−ＤＬ）であり、
Ｔｍａｘが最大の伝送時間遅延であり、Ｔｍｉｎ、Ｍｎｏｎ−ＤＬＴｍａｘより小さい非負整数であり、Ｃが正整数であるように構成される。
【０１１１】
好ましくは、前記Ｔｍｉｎが、前記端末がフィードバック応答情報を伝送する最小の伝送時間遅延であり、又は
前記Ｔｍｉｎはネットワーク側装置により構成されるパラメータである。
【０１１２】
好ましくは、前記Ｍｎｏｎ−ＤＬが、伝送時間ユニットＹ−Ｔｍａｘと伝送時間ユニットＹ−Ｔｍｉｎとの間のすべての第一種類時間ユニットの数であり、伝送時間ユニットＹは前記伝送待ちのフィードバック応答情報が位置する時間ユニットであり、
前記第一種類時間ユニットは、上り時間ユニット、端末が物理共有チャネルを伝送しない時間ユニット又は端末が下り制御シグナリングをモニタリングしない時間ユニットのうち１つ又は任意の組み合わせを含むがそれらに制限されない。
【０１１３】
好ましくは、上記Ｃは、
具体的に、Ｃが、１つの物理下り共有チャネルに対応するフィードバック応答情報の最大ビット数であってもよく、
又はＣが、設定された定数であってもよく、
又はＣが、前記ネットワーク側装置により構成されるパラメータであってもよい。
【０１１４】
具体的に、上記した１つの物理下り共有チャネルに対応するフィードバック応答情報の最大ビット数は、
１つの物理下り共有チャネルに搬送される伝送ブロックの最大数であってもよく、
又は１つの物理下り共有チャネルに搬送される符号化ブロックグループの最大数であってもよい。
【０１１５】
好ましくは、送受信ユニット４０２は、具体的に前記フィードバック応答情報をジョイント符号化してから送信するように構成され、
又は送受信ユニット４０２は、具体的に前記フィードバック応答情報を１つの物理チャネルにより送信するように構成される。
【０１１６】
図４Ａに示されるように、図４Ａはネットワーク側装置を提供しており、前記ネットワーク側装置が処理ユニット４０８と前記処理ユニットに接続される送受信ユニット４０９とを含み、
送受信ユニット４０８は、端末に構成シグナリングを送信するように構成され、前記構成シグナリングが、指示されるフィードバック応答情報の最大の伝送時間遅延を含み、
処理ユニット４０９は、前記端末がハイブリッド自動再送要求フィードバックのタイミングを動的に確定することを確定し、前記最大の伝送時間遅延に基づいて、伝送待ちのフィードバック応答メッセージの総ビット数を確定するように構成され、
送受信ユニット４０８は、前記端末が送信した前記総ビット数の前記伝送待ちのフィードバック応答メッセージを受信するように構成される。図４Ａに示される実施例における総ビット数の計算方式について、図３Ｃに示される実施例の説明を参照してもよく、ここで説明を省略する。
【０１１７】
本発明の実施例はさらに端末を提供しており、図５に示されるように、１つ又は複数のプロセッサ５０１、メモリ５０２、送受信機５０３、及び１つ又は複数のプログラム５０４を含み、前記１つ又は複数のプログラムが前記メモリ５０２に記憶され、且つ前記１つ又は複数のプロセッサ５０１で実行されるように構成され、前記プログラムが図３又は図３Ｂの実施例に係わる方法における端末実行ステップを実行するための命令を含む。
【０１１８】
本発明の実施例はさらにネットワーク側装置を提供しており、図５Ａに示されるように、１つ又は複数のプロセッサ５０５、メモリ５０６、送受信機５０７、及び１つ又は複数のプログラム５０８を含み、前記１つ又は複数のプログラムが前記メモリ５０６に記憶され、且つ前記１つ又は複数のプロセッサ５０５で実行されるように構成され、前記プログラムが図３Ｃ又は図３Ｂの実施例に係わる方法におけるネットワーク装置の実行ステップを実行するための命令を含む。
【０１１９】
プロセッサがプロセッサ又はコントローラであってもよく、たとえばＣＰＵ、ＤＳＰ、ＡＳＩＣ、ＦＰＧＡ又は他のプログラマブルロジックデバイス、トランジスタロジックデバイス、ハードウェア部材又はそれらの任意の組み合わせであってもよい。それは本発明に開示される内容を参照しながら説明した様々な例示的なロジックブロック、モジュール及び回路を実現し又は実行することができる。前記プロセッサが計算機能を実現する組み合わせであってもよく、たとえば１つ又は複数のマイクロプロセッサー組み合わせ、ＤＳＰとマイクロプロセッサーとの組み合わせ等を含む。送受信機５０３が通信インタフェース又はアンテナであってもよい。
【０１２０】
本発明の実施例はさらにコンピュータ可読記憶媒体を提供しており、それに電子データを交換するためのコンピュータプログラムが記憶され、前記コンピュータプログラムはコンピュータに図３又は図３Ｂの実施例において端末が実行した方法を実行させる。当然のことながら、前記コンピュータプログラムはコンピュータに図３Ｃ又は図３Ｂの実施例においてネットワーク側装置が実行した方法を実行させる。
【０１２１】
本発明の実施例はさらにコンピュータプログラム製品を提供しており、前記コンピュータプログラム製品はコンピュータプログラムが記憶される非瞬時性コンピュータ可読記憶媒体を含み、前記コンピュータプログラムが操作可能であり、それによりコンピュータに図３又は図３Ｂの実施例において端末が実行した方法を実行させる。当然のことながら、前記コンピュータプログラムはコンピュータに図３Ｃ又は図３Ｂの実施例においてネットワーク側装置が実行した方法を実行させる。
【０１２２】
以上の説明は主に各ネットワークエレメントの間が相互作用する角度から本発明の実施例の形態を説明した。理解できるように、端末及びネットワーク側装置は上記機能を実現するために、それが各機能を実行することに対応するハードウェア構造及び／又はソフトウェアモジュールを含む。本文では開示されている実施例が説明した各例示のユニット及びアルゴリズムステップと合わせ、本発明はハードウェア又はハードウェアとコンピュータソフトウェアの組み合わせ形式で実現されてもよいことは、当業者にとって容易に想到される。ある機能は一体ハードウェアで実行されるか、又はコンピュータソフトウェアがハードウェアを駆動する方式で実行されるかについては、技術案の特定のアプリケーション及び設計制約条件によって決められる。専門技術者は特定のアプリケーション毎に異なる方法を用いて説明された機能を実現できるが、この実現が本発明の範囲を超えると考えるべきではない。
【０１２３】
本発明の実施例は上記方法の例示に基づいて端末及びネットワーク側装置に対して機能ユニット分割を行ってもよく、たとえば、各機能に応じて各機能ユニットを分割してもよく、さらに２つ又は２つ以上の機能を１つの処理ユニットに集積してもよい。上記集積されたユニットはハードウェアの形式で実現されてもよく、さらにソフトウェアプログラムモジュールの形式で実現されてもよい。なお、本発明の実施例ではユニットに対する分割が例示的なものであり、単に論理機能分割に過ぎず、実際に実現される時に別の分割方式を有してもよい。
【０１２４】
本発明の実施例はさらに別の端末を提供しており、図６に示されるように、説明の便宜上、本発明の実施例に関連する部分のみを示し、開示されていない具体的な技術詳細については、本発明の実施例の方法の部分を参照する。該端末は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意の端末装置であってもよく、端末が携帯電話であることを例として、
図６に示されるものは本発明の実施例に係わる端末に関連する携帯電話の一部の構造のブロック図である。図６に示されるように、携帯電話は、高周波（Ｒａｄｉｏ  Ｆｒｅｑｕｅｎｃｙ、ＲＦ）回路９１０、メモリ９２０、入力ユニット９３０、表示ユニット９４０、センサ９５０、音声回路９６０、無線フィデリティ（Ｗｉｒｅｌｅｓｓ  Ｆｉｄｅｌｉｔｙ、ＷｉＦｉ）モジュール９７０、プロセッサ９８０、及び電源９９０等の部材を含む。当業者であれば、図６に示される携帯電話構造が携帯電話を制限するものではなく、図示より多く又は少ない部材、又はある部材の組み合わせ、又は異なる部材配置を含んでもよい。
【０１２５】
以下では図６を参照しながら携帯電話の各構成部材を具体的に説明する。
【０１２６】
ＲＦ回路９１０が情報の受信及び送信に用いられてもよい。一般的に、ＲＦ回路９１０がアンテナ、少なくとも１つの増幅器、送受信機、カプラー、低ノイズ増幅器（Ｌｏｗ  Ｎｏｉｓｅ  Ａｍｐｌｉｆｉｅｒ、ＬＮＡ）、ダイプレクサ等を含むがそれらに制限されない。また、ＲＦ回路９１０がさらに無線通信ネットワークにより他の装置と通信できる。上記無線通信が任意の通信規格又はプロトコルを使用でき、モバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むがそれらに制限されない。
【０１２７】
メモリ９２０がソフトウェアプログラム及びモジュールを記憶することに用いられてもよく、プロセッサ９８０がメモリ９２０に記憶されるソフトウェアプログラム及びモジュールを実行することにより、携帯電話の各種の機能アプリケーション及びデータ処理を実行する。メモリ９２０が主に記憶プログラム領域及び記憶データ領域を含んでもよく、記憶プログラムプログラムがオペレーティングシステム、少なくとも１つの機能に必要なアプリケーションプログラム等を記憶でき、記憶データ領域が携帯電話の使用に基づいて新規作成されるデータ等を記憶できる。また、メモリ９２０が高速ランダムアクセスメモリを含んでもよく、さらに不揮発性メモリ、たとえば少なくとも１つのディスク記憶デバイス、フラッシュメモリデバイス、又は他の揮発性固体記憶デバイスを含んでもよい。
【０１２８】
入力ユニット９３０が入力されたデジタル又は文字情報を受信し、及び携帯電話のユーザー設定及び機能制御に関するキー信号入力を生成することに用いられてもよい。具体的に、入力ユニット９３０が指紋認識モジュール９３１及び他の入力装置９３２を含んでもよい。指紋認識モジュール９３１が、ユーザーのそれにおける指紋データを収集できる。指紋認識モジュール９３１に加え、入力ユニット９３０がさらに他の入力装置９３２を含んでもよい。具体的に、他の入力装置９３２がタッチパネル、物理キーボード、ファンクションキー（たとえば音量制御押しボタン、スイッチ押しボタン等）、トラックボール、マウス、操作レバー等のうち１つ又は複数の種類を含んでもよいが、それに制限されない。
【０１２９】
表示ユニット９４０がユーザーによって入力された情報又はユーザーに提供した情報及び携帯電話の各種のメニューを表示することに用いられる。表示ユニット９４０がディスプレイスクリーン９４１を含んでもよく、好ましくは、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式を用いてディスプレイスクリーン９４１を配置してもよい。図６において、指紋認識モジュール９３１及びディスプレイスクリーン９４１が独立した２つの部材として、携帯電話の入力及び入力機能を実現するが、ある実施例では、指紋認識モジュール９３１及びディスプレイスクリーン９４１を集積して携帯電話の入力及び再生機能を実現してもよい。
【０１３０】
携帯電話がさらに少なくとも１種のセンサ９５０、たとえば光センサ、モーションセンサ及び他のセンサを含んでもよい。具体的に、光センサが周辺光センサ及び近接センサを含んでもよく、周辺光センサが周辺光線の明るさに基づいてディスプレイスクリーン９４１の輝度を調節でき、近接センサは携帯電話が耳に移動した時、ディスプレイスクリーン９４１及び／又は背光をオフにすることができる。モーションセンサの一種として、加速度センサが各方向（一般的に３つの軸である）における加速度の大きさを検出でき、静止する時に重力の大きさ及び方向を検出でき、携帯電話姿態を識別するアプリケーション（たとえばスクリーンの水平及び垂直切り替え、関連ゲーム、磁力計姿態校正）、振動識別に関連する機能（たとえば万歩計、ノック）等に用いられてもよく、さらに携帯電話に配置できるジャイロスコープ、気圧計、湿度計、温度計、赤外線センサ等の他のセンサは、ここで説明を省略する。
【０１３１】
音声回路９６０、スピーカ９６１、マイクロフォン９６２がユーザーと携帯電話との間の音声インタフェースを提供できる。音声回路９６０が受信された音声データ変換後の電気信号をスピーカ９６１に伝送でき、スピーカ９６１で音声信号に変換して再生する。一方、マイクロフォン９６２が収集された音声信号を電気信号に変換し、音声回路９６０で受信した後に音声データに変換し、さらに、音声データを再生プロセッサ９８０で処理した後、ＲＦ回路９１０を経由して、それにより別の携帯電話に送信し、又は音声データをメモリ９２０に再生し、それによりさらに処理する。
【０１３２】
ＷｉＦｉが短距離無線伝送技術に属し、携帯電話はＷｉＦｉモジュール９７０により、ユーザーが電子メールを受信し及び送信し、ウェブページを閲覧し及びストリーミングメディアにアクセスする等に手伝うことができ、それがユーザーにアクセス可能な無線の広帯域インターネットを提供する。図６はＷｉＦｉモジュール９７０を示したが、理解できるように、それは携帯電話に必要な構成に属するものではなく、完全に必要に応じて発明の本質を変更しない範囲では省略できる。
【０１３３】
プロセッサ９８０が携帯電話の制御センターであり、各種のインタフェース及び線路を利用して携帯電話全体の各部に接続され、メモリ９２０内に記憶されるソフトウェアプログラム及び／又はモジュールを運転又は実行し、及びメモリ９２０内に記憶されるデータを呼び出すことにより、携帯電話の各種機能を実行し及びデータを処理し、それにより携帯電話全体を監視する。選択可能に、プロセッサ９８０が１つ又は複数の処理ユニットを含んでもよく、好ましくは、プロセッサ９８０がアプリケーションプロセッサ及びモデムプロセッサを集積でき、アプリケーションプロセッサが主にオペレーティングシステム、ユーザーインタフェース及びアプリケーションプログラム等を処理し、モデムプロセッサが主に無線通信を処理する。理解できるように、上記モデムプロセッサがプロセッサ９８０に集積されなくてもよい。
【０１３４】
携帯電話がさらに各部材に給電する電源９９０（たとえば電池）を含み、好ましくは、電源が電源管理システムを介してプロセッサ９８０に論理的に接続され、それにより電源管理システムを介して充電、放電の管理及び電力損失管理等の機能を実現する。
【０１３５】
示されていないが、携帯電話がカメラ、ブルートゥースモジュール等を含んでもよく、ここで説明を省略する。
【０１３６】
上記した図３又は如図３Ｂに示される実施例では、各ステップ方法において端末側のプロセスが該携帯電話の構造に基づいて実現されてもよい。
【０１３７】
上記図４又は図５に示される実施例では、各ユニット機能が該携帯電話の構造に基づいて実現されてもよい。
【０１３８】
本発明の実施例が説明した方法又はアルゴリズムのステップはハードウェアの方式で実現されてもよく、さらにプロセッサがソフトウェア命令を実行する方式で実現されてもよい。ソフトウェア命令が対応するソフトウェアモジュールで構成されてもよく、ソフトウェアモジュールがランダムアクセス記憶装置（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、ポータブルハードディスク、リードオンリーディスク（ＣＤ−ＲＯＭ）又は本分野には熟知された任意の他の形式の記憶媒体に記憶されてもよい。例示的な記憶媒体がプロセッサに結合され、それによりプロセッサが該記憶媒体から情報を読み取ることができ、且つ該記憶媒体に情報を書き込むことができ。当然なことながら、記憶媒体がプロセッサの構成の一部であってもよい。プロセッサ及び記憶媒体がＡＳＩＣに位置してもよい。また、該ＡＳＩＣがアクセスネットワーク装置、目標ネットワーク装置又はコアネットワーク装置に位置してもよい。当然なことながら、プロセッサ及び記憶媒体がさらに離散コンポーネントとしてアクセスネットワーク装置、目標ネットワーク装置又はコアネットワーク装置に位置してもよい。
【０１３９】
上記１つの又は複数の例示では、本発明の実施例が説明した機能は全部又は一部がソフトウェア、ハードウェア、ファームウェア又はその任意の組み合わせで実現できることは、当業者にとっては想到すべきである。ソフトウェアを使用して実現する時、全部又は一部がコンピュータプログラム製品の形式で実現されてもよい。前記コンピュータプログラム製品が１つの又は複数のコンピュータ命令を含む。コンピュータにおいて前記コンピュータプログラム命令をローディングし及び実行する時、全部又は一部が本発明の実施例に記載のプロセス又は機能を生成する。前記コンピュータが汎用コンピュータ、専用コンピュータ、コンピュータネットワーク、又は他のプログラマブル装置であってもよい。前記コンピュータ命令がコンピュータ可読記憶媒体に記憶されてもよく、又は１つのコンピュータ可読記憶媒体から別のコンピュータ可読記憶媒体に伝送され、たとえば、前記コンピュータ命令が１つのウエブサイト、コンピュータ、サーバ又はデータセンターから有線（たとえば同軸ケーブル、光ファイバー、デジタル加入者線（Ｄｉｇｉｔａｌ  Ｓｕｂｓｃｒｉｂｅｒ  Ｌｉｎｅ、ＤＳＬ））又は無線（たとえば赤外線、無線、マイクロ波等）方式で別のウエブサイト、コンピュータ、サーバ又はデータセンターに伝送されてもよい。前記コンピュータ可読記憶媒体はコンピュータアクセス可能な任意の利用可能な媒体又は１つであってもよく、又は複数の利用可能な媒体が集積したサーバ、データセンター等のデータ記憶デバイスであってもよい。前記利用可能な媒体が磁気媒体（たとえば、フロッピーディスク、ハードディスク、テープ）、光媒体（たとえば、デジタルビデオディスク（ＤＶＤ：Ｄｉｇｉｔａｌ  Ｖｉｄｅｏ  Ｄｉｓｃ））、又は半導体媒体（たとえば、ソリッドステートドライブ（ＳＳＤ：Ｓｏｌｉｄ  Ｓｔａｔｅ  Ｄｉｓｋ））等であってもよい。
【０１４０】
以上に記載の具体的な実施形態は、本発明の実施例の目的、技術案及び有益な効果をさらに詳細に説明し、理解すべきことは、以上の説明は単に本発明の実施例の具体的な実施形態に過ぎず、本発明の実施例の保護範囲を制限するものではなく、本発明の実施例の技術案を基礎として行われた改定、等価置換、改良等が、本発明の実施例の保護範囲に含まれるべきであるものである。
【図１】
2020529753.tif 000003
【図２】
2020529753.tif 000004
【図２Ａ】
2020529753.tif 000005
【図３】
2020529753.tif 000006
【図３Ａ】
2020529753.tif 000007
【図３Ｂ】
2020529753.tif 000008
【図３Ｃ】
2020529753.tif 000009
【図４】
2020529753.tif 000010
【図４Ａ】
2020529753.tif 000011
【図５】
2020529753.tif 000012
【図５Ａ】
2020529753.tif 000013
【図６】
2020529753.tif 000014
【国際調査報告】
2020529753.tif 000015
2020529753.tif 000016
2020529753.tif 000017
2020529753.tif 000018
2020529753.tif 000019
2020529753.tif 000020